(57)【特許請求の範囲】
【請求項１】
回転駆動手段で回転される円筒状の回転ドラムの外周に複数の表示板を回転自在に支持し、表示面を構成する上下一対の前記表示板のうち上側の表示板を表示位置にストッパで係止した状態で、前記回転ドラムを任意の位置で停止させることにより前記表示位置に位置する上下一対の表示板で絵柄を表示するリーフ式表示機であって、
前記表示位置にある前記表示板の外周の近傍に設けられ、前記表示板の外周に光を投光する投光手段を更に備え、
前記表示板は、
一面及び他面の両側で光を反射する両面反射板と、
前記両面反射板の一面側及び他面側にそれぞれ張り合わされ、前記投光手段から入射した光を拡散して外側面に透過させるとともに、前記両面反射板から反射した光を拡散して外側面に透過させる一面側及び他面側の拡散板と、
前記一面側及び他面側の拡散板の外側面に透光性を有する材質で前記絵柄の形状に形成された絵柄層と、
を備えることを特徴とするリーフ式表示機。
【発明の詳細な説明】
【技術分野】
【０００１】
本発明は、パチンコ台やスロットマシンなどの遊技機に用いられ表示板で絵柄を表示するリーフ式表示機に関する。
【背景技術】
【０００２】
従来、パチンコ台やスロットマシンなどの遊技機の表示装置としては、ＬＣＤやＬＥＤによるドットマトリックス式の画像表示装置、回転するリールの周面に絵柄を印刷した回胴式表示装置、表示板で絵柄を表示するリーフ式表示機などが知られている。このうちリーフ式表示機は、ドットマトリックス表示素子に比べて安価で、回胴式表示機構に比べて小形にできる利点を有している。
【０００３】
従来のリーフ式表示機は、例えば特許文献１に示されているように、駆動手段で回転される円筒状の回転ドラムの外周に複数の表示板を回転自在に支持し、表示面を構成する上下一対の表示板のうち上側の表示板を表示位置にストッパで係止した状態で、前記回転ドラムを任意の位置で停止させることにより表示位置に位置する上下一対の表示板で絵柄を表示する。
【０００４】
【特許文献１】特開平８−１１２４００号公報
【発明の開示】
【発明が解決しようとする課題】
【０００５】
ところで、上述した従来の遊技機に用いられるリーフ式表示機では、絵柄を表示している表示板の背面に複数の他の表示板が位置するため、スロットマシンのリールと異なり背面からの光を表示板の透光性を有する絵柄に透過させて絵柄を光らせることができず、視認性や演出性が十分といえなかった。
【０００６】
本発明は、こうした従来の問題に鑑みてなされたものであり、光を表示板の透光性を有する絵柄に透過させて絵柄を光らせることができるリーフ式表示機を提供することを目的としている。
【課題を解決するための手段】
【０００７】
上述した課題を解決するため、請求項１に記載の発明は、回転駆動手段で回転される円筒状の回転ドラムの外周に複数の表示板を回転自在に支持し、表示面を構成する上下一対の前記表示板のうち上側の表示板を表示位置にストッパで係止した状態で、前記回転ドラムを任意の位置で停止させることにより前記表示位置に位置する上下一対の表示板で絵柄を表示するリーフ式表示機であって、前記表示位置にある前記表示板の外周の近傍に設けられ、前記表示板の外周に光を投光する投光手段を更に備え、前記表示板は、一面及び他面の両側で光を反射する両面反射板と、前記両面反射板の一面側及び他面側にそれぞれ張り合わされ、前記投光手段から入射した光を拡散して外側面に透過させるとともに、前記両面反射板から反射した光を拡散して外側面に透過させる一面側及び他面側の拡散板と、前記一面側及び他面側の拡散板の外側面に透光性を有する材質で前記絵柄の形状に形成された絵柄層と、を備えることを特徴とする。
【０００８】
請求項１に記載のリーフ式表示機によれば、発光ダイオードから表示板の外周に入射した光は、一面側及び他面側の拡散板の内部で拡散し、直接または前記両面反射板に反射し一面側及び他面側の拡散板の内部を透過して前記絵柄の形状で形成された透光性を有する絵柄層に入射し、透光性を有する絵柄層により減光や色補正が行われて出射するので、光を表示板の透光性を有する絵柄に透過させて絵柄を光らせることができる。
【発明の効果】
【０００９】
本発明のリーフ式表示機によれば、光を表示板の透光性を有する絵柄に透過させて絵柄を光らせることができるので、視認性や演出性を十分に高める等が行える。
【発明を実施するための最良の形態】
【００１０】
以下、本発明に係るリーフ式表示機の好適な一実施形態をパチンコ機を例に図面を参照して説明する。尚、図１は、パチンコ機１の表側側の外観構造を表した正面図、図２は、パチンコ機１の裏面側の構造を表した図である。
【００１１】
図１において、パチンコ機１は、機枠又は機体として所定の外郭方形枠サイズに構成された固定保持用の外枠２と、この外枠２の前側に設けられ、この外枠２に合わせて方形枠サイズに構成された前枠３とを備えている。
【００１２】
前枠３は、正面左側上下部に配設された開閉連結支持機構４ａ，４ｂを介して外枠２に開閉（片持ち横開き）可能に組付けるとともに、正面右側内部に配設された施錠装置５を利用して閉鎖状態に保持される。
【００１３】
前枠３の正面側には、前枠３の前側面域に合わせた方形状のガラス扉６及び上球皿７が共に横開き開閉及び着脱が可能に組付けられており、施錠装置５および図示しないロック機構を利用して前枠３の前面を覆う閉止状態で保持される。
【００１４】
上球皿７には、払い出された遊技球を貯留して整列させる球皿部７ａが設けられるとともに、球皿部７ａに貯留する遊技球を下球皿８に排出させる球抜きレバー７ｂが設けられている。球皿部７ａの左下側には演出用の放音部７ｃが設けられている。
【００１５】
また、前枠３の下部には、球皿部８ａおよび球出口８ｂを有する下球皿８が設けられ、この下球皿８と並んで打球発射装置９が設けられている。打球発射装置９には遊技球の発射操作を行う操作ハンドル９ａが取り付けられている。
【００１６】
前枠３の裏側には、この前枠３と一体に方形枠状の収容枠１０（図２参照）が成形されている。
【００１７】
さらに、前枠３には、パチンコゲームを展開し得る遊技盤１１が、前記収容枠１０（図２参照）の収容面域に対して着脱交換可能にセット保持されている。遊技盤１１は、前面の遊技領域１２を前記ガラス扉６の正面に臨ませており、前枠３の裏側に裏機構１３（図２参照）を装備している。
【００１８】
遊技盤１１は、所定板厚の積層合板の表面にセルが貼り付けられた化粧板１４の前面側に、ステンレス鋼板等を利用した帯状の外レール１６ａおよび内レール１６ｂ（これらを合わせて案内レール１５と称する）が固設され、この案内レール１５に囲まれた内側に遊技領域１２が区画されている。
【００１９】
遊技領域１２内には、多数本の遊技釘とともに、複数の風車、一般入賞具１７や始動入賞具１８並びにアタッカー入賞具１９などの入賞具、図柄表示装置１００などが設けられている。
【００２０】
図柄表示装置１００は、向かって左から順にリーフ式表示機１００ａ、１００ｂ、１００ｃが並べられている。
【００２１】
一般入賞具１７は、遊技球が落入可能な入賞孔を有し、ここに入賞した遊技球を検出する入賞球検出センサ（具体的には、遊技球の通過を磁気的、光学的または電気的手段等により検出するセンサ）が取り付けられている。
【００２２】
始動入賞具１８は、いわゆる電動チューリップ構成の入賞具からなり、左右のチューリップ羽根１８ａ、１８ｂを開閉させることができる。この始動入賞具１８にも入賞した遊技球を検出する入賞球検出センサが取り付けられる。
【００２３】
アタッカー入賞具１９は、中央に横長方形状の開口からなる大入賞口を有し、この大入賞口を開閉自在に覆って開閉扉１９ａが取り付けられている。開閉扉１９ａは通常閉止されており、遊技中において所定の遊技条件の下で特別遊技状態が成立したときに、開閉扉１９ａが前方にほぼ９０度倒されて大入賞口が開放される。このアタッカー入賞具１９の大入賞口内にも入賞球検出センサが取り付けられる。
【００２４】
一般入賞具１７、始動入賞具１８及びアタッカー入賞具１９の後側には化粧板１４を貫通するセーフ球通路孔（不図示）が設けられている。一般入賞具１７、始動入賞具１８及びアタッカー入賞具１９に入賞したセーフ球はセーフ球通路孔を通って遊技盤１１の裏面側に排出される。
【００２５】
遊技領域１２の最下部には、入賞具１７，１８，１９に入賞せずに落下したアウト球を集合して排出させるアウト口２０が設けられている。アウト口２０の後側には化粧板１４を貫通してアウト球通路孔が形成されており、アウト口２０に集められたアウト球がアウト球通路孔を通って遊技盤１１の裏面側に排出される。
【００２６】
次に、パチンコ機１の裏面側の構造について詳細に説明する。
【００２７】
図２において、遊技盤１１は、収容枠１０の収容面域の内法に合わせた方形サイズで収容枠１０の裏側から着脱可能に形成されている。また、遊技盤１１は、収容枠１０の収容面域の周囲に配設された係合レバー２１ａ、２１ｂ、２１ｃで固定保持されるようになっている。
【００２８】
収容枠１０は、遊技盤１１をセット保持したときに、遊技盤１１の前面が閉鎖状態にあるガラス扉６（図１参照）のガラス板と所定間隔をおいて対向するように構成されており、遊技盤面とガラス板内面との間に遊技球が落下移動する遊技領域空間が形成される。
【００２９】
また、前枠３の裏側下部には打球発射装置９が取り付けられ、前枠３における収容枠１０の下部に前枠３と一体に遊技補助盤２２が形成されている。なお、遊技補助盤２２の表側には打球発射装置９のハンマーと位置整合して遊技球を遊技盤の外レール１６ａ（図１参照）に向けて発射する発射レールや、放音部７ｃに向けて効果音を発生するスピーカ等が取り付けられている。また、遊技補助盤２２は、上球皿７の裏側に位置し、通常閉鎖状態に保持される上球皿７によりその表面側が覆われている。
【００３０】
収容枠１０の裏側には、球貯留供給機構３０や賞球払出機構４０等を有する裏セット盤５０がヒンジ５１ａ、５１ｂにより横開き可能となって前枠３の裏側に支持されている。裏セット盤５０は、前枠３の裏面を覆う閉止状態で閉止レバー５２ａ、５２ｂ、５２ｃにより前枠３に係止保持されるようになっている。
【００３１】
球貯留供給機構３０は、基本的な構成として、予備賞球用のタンク部材３１、タンク部材３１内に貯留された予備賞球を整列して供給させる整列樋部材３２、遊技機の作動状態を遊技施設側に出力するためのターミナル制御部３３や、その他の関連機構・部材等が装備されて構成される。
【００３２】
整列樋部材３２は、タンク部材３１から供給された予備賞球を整列状に収容して下端の変向出口３４に送出し得るようになっている。
【００３３】
ターミナル制御部３３では、図示しないが遊技ホール側からの電源、パチンコゲーム内容の情報、球切れ情報等に係る必要な回路、デバイス及び電線（コード）用コネクタ、アース端子等が配置、接続されている。
【００３４】
賞球払出機構４０は、裏セット盤５０の盤本体をなす開閉基枠体４１に、球貯留供給機構３０の変向出口３４に繋がる球切れ検出スイッチ４２、変向出口３４から送出される賞球を整列待機通路に整列待機させる整列待機通路部材４３、整列待機通路部材４３からの賞球を受け取り所定の払出条件に基づいて払い出す賞球カセット４４、賞球カセット４４から排出された賞球を球皿側へ排出する賞球排出経路、これらの関連機構・部材等が設けられて構成されている。
【００３５】
球切れ検出スイッチ４２は、賞球として払い出すに充分な予備賞球が整列待機通路部材４３に保持されているか否かを検出するためのものである。
【００３６】
なお、この開閉基枠体４１は、遊技済み球（セーフ球とアウト球）の集合排出経路が設けられるとともに、球貯留供給機構３０に一体に繋がっており、裏セット盤５０は、球貯留供給機構３０、賞球払出機構４０及び開閉基枠体４１を含めた全体がユニット化されたセット部材として構成されている。
【００３７】
さらに、裏セット盤５０の各部には、このパチンコ機１の作動を統括的に制御する主制御基板９１や、賞球の払出制御を行う賞球制御基板９２、効果照明や効果音の作動制御を行うランプ・音声制御基板９３、各制御基板や電子部品に所定の電力を供給する電源基板９４、複数のコネクタが取り付けられて制御信号や電力の中継を行う中継基板９５、図柄表示装置１００（図１参照）用の表示制御基板９６等が設けられている。
【００３８】
次に、パチンコ機１におけるゲーム動作の概要を説明する。
【００３９】
パチンコ機１は、上球皿７およびガラス扉６が閉止施錠された状態で遊技に供され、球皿部７ａに遊技球を貯留させて操作ハンドル９ａを回動操作することにより遊技が開始される。操作ハンドル９ａの操作レバーが回動操作されると、球皿部７ａに貯留する遊技球が図示しない球送り装置によって１球ずつ発射レール上に送り出され、打球発射装置９のハンマーに打ち出されて遊技盤１１の外レール１６ａに沿って遊技領域１２に導かれ、以降パチンコゲームが展開される。
【００４０】
遊技領域１２に導かれた遊技球が各入賞具１７，１８，１９に入賞すると、各入賞具に取り付けられた入賞球検出センサによって入賞したセーフ球が検出され、その入賞具の種類や遊技状況に応じた所定数の賞球が賞球払出機構４０から上球皿７もしくは下球皿８に払い出される。また、遊技盤１１の前面側の図柄表示装置１００のリーフ式表示機１００ａ、１００ｂ、１００ｃは、遊技盤１１の裏面側に取り付けられた表示制御基板９６により制御されて前述の遊技状況に応じた種々の表示がなされる。
【００４１】
一方、遊技領域１２に導かれた遊技球が入賞具１７，１８，１９に入賞せずに落下すると、アウト球としてアウト口２０に集合し、アウト球通路孔を通って遊技盤１１の裏面側に排出される。
【００４２】
次に図柄表示装置１００のリーフ式表示機１００ａについて図面を参照して詳細に説明する。
【００４３】
図３はリーフ式表示機１００ａの分解斜視図、図４はリーフ式表示機１００ａの斜視図、図５はリーフ式表示機１００ａの正面図、図６はリーフ式表示機１００ａの側方から見た断面図、図７は表示板１３２ａの分解斜視図、図８は表示板１３２ａの斜視図、図９は表示板１３２ａの断面図、図１０はリーフ式表示機１００ａを制御する回路系統を示すブロック図、図１１はリーフ式表示機１００ａの動作を説明する説明図である。
【００４４】
図３において、リーフ式表示機１００ａは、ケース１０１と、回転駆動手段としての回転駆動部１０２と、回転位置検出センサ１０３と、リーフ式表示機構部１０４と、ストッパ機構部１０５と、投光ユニット３０１、３０２、３０３、３０４とを備えている。
【００４５】
ケース１０１は、ケース本体１１１と側面板１１２とを備えている。
【００４６】
回転駆動部１０２は、ステッピングモータ１２１と、ピニオンギア１２２と、スパーギア１２３と、このスパーギア１２３が取り付けられた回転軸１２４とを備えている。
【００４７】
リーフ式表示機構部１０４は、回転ドラム１３１と、複数の表示板１３２ａ、１３２ｂ、１３２ｃ…１３２ｔとを備えている。
【００４８】
ストッパ機構部１０５は、ストッパ１４１と、回転軸１４２と、軸受け部材１４３ａ、１４３ｂと、ソレノイド１４４とを備えている。
【００４９】
以下、ケース１０１について詳細に説明する。
【００５０】
ケース１０１のケース本体１１１は、前面及び前面から向かって右側の側面が開口した形状に形成されている。ケース本体１１１の右側面が開口は、側面板１１２によって閉塞されるようになっている。
【００５１】
ケース本体１１１の後壁１５１には貫通孔１５２ａ、１５２ｂが形成されている。ネジ１５３ａ、１５３ｂは、それぞれのネジ部が後壁１５１の外面側から貫通孔１５２ａ、１５２ｂに挿入し、ステッピングモータ１２１のネジ止部１２５に形成されたネジ穴に螺入することで、図６に示すように、ステッピングモータ１２１を後壁１５１の内面側にネジ止め固定する。
【００５２】
さらに、図３において、ケース本体１１１の後壁１５１には、ステッピングモータ１２１の配線１２６及び回転位置検知センサ１０３の配線１８１を通すための貫通孔１５２ｃが形成されている。
【００５３】
ケース本体１１１の左側の側壁１５４の１／２の高さの位置には軸受け１５５ａ、１５６ａが前後に並べて設けられている。軸受け１５５ａには、リーフ式表示機構部１０４の回転ドラム１３１の回転軸１３３の左端が挿入されるようになっている。軸受け１５６ａには、回転駆動部１０２のスパーギア１２３用の回転軸１２４の左端が挿入されるようになっている。
【００５４】
側面板１１２の１／２の高さの位置には、軸受け１５５ｂ、１５６ｂが前後に並べて設けられている。軸受け１５５ｂには、リーフ式表示機構部１０４の回転ドラム１３１の回転軸１３３の右端が挿入されるようになっている。軸受け１５６ｂには、回転駆動部１０２のスパーギア１２３用の回転軸１２４の右端が挿入されるようになっている。
【００５５】
側面板１１２の軸受け１５６ｂの上側位置には貫通孔１５７が形成されている。ネジ１５８は、そのネジ部が側面板１１２の外面側から貫通孔１５７に挿入し、回転位置検出センサ１０３に形成されたネジ穴１８２に螺入することで、図６に示すように、回転位置検出センサ１０３を側面板１１２の内面側にネジ止め固定する。
【００５６】
さらに、図３において、側面板１１２の四隅近傍には、貫通孔１６０ａ、１６０ｂ、１６０ｃ、１６０ｄが形成されている。ケース本体１１１の右端面には、ネジ穴１６１ａ、１６１ｂ、１６１ｃ、１６１ｄが形成されている。
【００５７】
ネジ１６２ａ、１６２ｂ、１６２ｃ、１６２ｄは、それぞれのネジ部が側面板１１２の貫通孔１６０ａ、１６０ｂ、１６０ｃ、１６０ｄに挿入し、ケース本体１１１のネジ穴１６１ａ、１６１ｂ、１６１ｃ、１６１ｄに螺入することで、ケース本体１１１の左側面に側面板１１２をネジ止め固定するようになっている。ケース１０１は、図４及び図５に示すように、ケース本体１１１に側面板１１２をネジ止め固定した状態で、前面に表示窓１１３を形成する。
【００５８】
図３において、ケース本体１１１の上壁１７１の前側には、ストッパ機構部１０５及び上側の投光ユニット３０１、３０２を配置するための切欠き１７２が形成されている。上壁１７１の前端面の切欠き１７２が形成された部分には、ネジ穴３１１、１７３ａ、１７３ｂ、３１２が形成されている。
【００５９】
ストッパ機構部１０５の軸受け部材１４３ａ、１４３ｂには貫通孔１４５ａ、１４５ｂが形成されている。
【００６０】
ネジ１７４ａ、１７４ｂは、それぞれのネジ部が軸受け部材１４３ａ、１４３ｂの貫通孔１４５ａ、１４５ｂに挿入し、ケース本体１１１の切欠き１７２のネジ穴１７３ａ、１７３ｂに螺入することで、軸受け部材１４３ａ、１４３ｂを切欠き１７２にネジ止め固定する。軸受け部材１４３ａ、１４３ｂは、回転軸１４２の左右両端を回転可能な状態で軸支する。
【００６１】
投光ユニット３０１、３０２は、それぞれケース３２１、３２２の内部に複数の発光ダイオード３３１（図５参照）を実装した基板を収納し、発光ダイオード３３１の発光部を下面に形成された３つの筒状部３３２から突出させた構造になっている。
【００６２】
ケース３２１、３２２の上面には、複数の発光ダイオード３３１（図５参照）に電力を供給する配線３２３、３２４がそれぞれ延出している。ケース３２１の上面右側には、軸受け部材１４３ａが配置する段部３２５が形成されている。ケース３２２の上面左側には、軸受け部材１４３ｂが配置する段部３２６が形成されている。
【００６３】
ケース３２１、３２２には、それぞれ前後方向の貫通孔３２７、３２８が形成されている。
【００６４】
ネジ３４１、３４２は、それぞれのネジ部がケース３２１、３２２の貫通孔３２７、３２８に挿入し、ケース本体１１１の切欠き１７２のネジ穴３１１、３１２にそれぞれ螺入することで、投光ユニット３０１、３０２を切欠き１７２にネジ止め固定する。
【００６５】
投光ユニット３０１、３０２の複数の発光ダイオード３３１は、複数の表示板１３２ａ、１３２ｂ、１３２ｃ…１３２ｔの内、上側の表示位置にある表示板の上側の端面に対向し、表示板の上側の端面に光を投光する。
【００６６】
このような構造により、リーフ式表示機１００ａは、前記表示板の外周に光を投光する投光手段としての複数の発光ダイオード３３１を前記表示位置にある前記表示板の外周の近傍に設けている。
【００６７】
ケース本体１１１の上壁１７１の上面における切欠き１７２の後ろ側の位置には、ネジ止め部１７５が上方に突出して設けられている。
【００６８】
ネジ止め部１７５には貫通孔１７６ａ、１７６ｂが上下に並べて形成されている。ネジ１７７ａ、１７７ｂは、それぞれのネジ部がネジ止め部１７５の後方から貫通孔１７６ａ、１７６ｂに挿入し、ソレノイド１４４に形成されたネジ穴に螺入することで、図６に示すように、ソレノイド１４４をネジ止め部１７５にネジ止め固定する。
【００６９】
ケース本体１１１の下壁１７８の前側には、投光ユニット３０３、３０４をそれぞれ配置するための左右の切欠き１７９、１８０が形成されている。下壁１７８の切欠き１７９、１８０が形成された部分には、それぞれネジ穴３１３、３１４が形成されている。
【００７０】
投光ユニット３０３、３０４は、それぞれケース３５１、３５２の内部に発光ダイオードを実装した基板を収納し、発光ダイオード３３３（図５参照）の発光部を上面に形成された３つの筒状部３３４から突出させた構造になっている。
【００７１】
ケース３５１、３５２の下面には、それぞれ発光ダイオードに電力を供給する配線３５３、３５４が延出している。ケース３５１、３５２には、それぞれ前後方向の貫通孔３５７、３５８が形成されている。
【００７２】
ネジ３４３、３４４は、それぞれのネジ部がケース３５１、３５２の貫通孔３５７、３５８に挿入し、ケース本体１１１の切欠き１７９、１８０のネジ穴３１３、３１４に螺入することで、投光ユニット３０３、３０４を切欠き１７９、１８０にネジ止め固定する。
【００７３】
投光ユニット３０３、３０４の複数の発光ダイオード３３３は、複数の表示板１３２ａ、１３２ｂ、１３２ｃ…１３２ｔの内、下側の表示位置にある表示板の下側の端面に対向し、表示板の下側の端面に光を投光する。
【００７４】
このような構造により、リーフ式表示機１００ａは、前記表示板の外周に光を投光する投光手段としての複数の発光ダイオード３３３を前記表示位置にある前記表示板の外周の近傍に設けている。
【００７５】
以下、回転駆動部１０２について詳細に説明する。
【００７６】
図３において、ステッピングモータ１２１の回転軸には、ピニオンギア１２２が取り付け固定されている。
【００７７】
回転軸１２４の右端近傍にはスパーギア１２３が取り付けられている。回転軸１２４は、リーフ式表示機１００ａが組み立てられた状態で、ケース本体１１１の軸受け１５６ａ及び側面板１１２の軸受け１５６ｂによって回転自在に軸支される。
【００７８】
スパーギア１２３は、リーフ式表示機１００ａが組み立てられた状態で、図６に示すように、ステッピングモータ１２１のピニオンギア１２２と噛み合う。
【００７９】
このような構造により、ステッピングモータ１２１の回転軸が回転すると、スパーギア１２３は、ステッピングモータ１２１からの動力を減速させてトルクアップして回転する。
【００８０】
次に、リーフ式表示機構部１０４について詳細に説明する。
【００８１】
図３において、リーフ式表示機構部１０４の円筒状の回転ドラム１３１は、円筒部１９１の中心軸上に回転軸１３３を有し、円筒部１９１の左端外周にフランジ部１９２が突出形成され、円筒部１９１の右端外周にファイナルギア１９３が取り付け固定されている。
【００８２】
回転軸１３３は、リーフ式表示機１００ａが組み立てられた状態で、ケース本体１１１の軸受け１５５ａ及び側面板１１２の軸受け１５５ｂによって回転自在に軸支される。
【００８３】
回転ドラム１３１のファイナルギア１９３は、スパーギア１２３と同径かつ同歯数で形成されており、リーフ式表示機１００ａが組み立てられた状態で、図６に示すように、回転駆動部１０２のスパーギア１２３と噛み合う。
【００８４】
このような構造により、回転駆動部１０２のステッピングモータ１２１が回転すると、回転ドラム１３１は、ステッピングモータ１２１からの動力を減速させてトルクアップして回転する。
【００８５】
図３において、フランジ部１９２及びファイナルギア１９３には、例えば２０個の支持孔１９４（図６参照）が同心円上に沿って等間隔毎に形成されている。
【００８６】
複数の表示板１３２ａ、１３２ｂ、１３２ｃ・・・１３２ｔは、弾性を有する薄板からなり、一側の両側には支持孔１９４（図６参照）に回転可能に嵌合する軸片部１９５（図５参照）が突出形成されているとともに、左側のみに係合片部１９６が突出形成されている。そして、各表示板１３２ａ、１３２ｂ、１３２ｃ・・・１３２ｔは、回転ドラム１３１のフランジ部１９２及びファイナルギア１９３間に挿入されるとともに両側の軸片部１９５がフランジ部１９２及びファイナルギア１９３の対向する支持孔１９４にそれぞれ嵌合されて回動自在に支持され、回転ドラム１３１の下部域においては自重により垂直に垂れ下がり、上部域においては係合片部１９６がフランジ部１９２の外周面に当接して回転ドラム１３１と共に回転移動される。また、表示板１３２ａ、１３２ｂ、１３２ｃ・・・１３２ｔの表裏面には、近接する一対の表示板の表面と裏面とを１組として１つの例えば数字などの絵柄が印刷により表示されており、全体として２０個の絵柄を表示できる。
【００８７】
以下、ストッパ機構部１０５について詳細に説明する。
【００８８】
ストッパ機構部１０５のストッパ１４１は、例えばステンレス鋼のような強度の高い金属製の薄板を上下方向に長い長方形に形成されたものであり、上部に左右両側に突出する回転軸１４２が設けられている。回転軸１４２はケース本体１１１の切欠き１７２に固定された軸受け部材１４３ａ、１４３ｂにより回転可能な状態で保持されるようになっている。ストッパ１４１の前面には舌片２０１（図６参照）が設けられている。舌片２０１は、ピン２０２を介してソレノイド１４４のプランジャ（可動鉄心）２０３に連結されている。プランジャ２０３の垂直方向運動は、ストッパ１４１の回転運動に変換される。前記ストッパ１４１は、図８に示すように、ソレノイド１４４が上方に移動すると、前方側に回転し、前記表示板１３２ａ、１３２ｂ、１３２ｃ・・・１３２ｔの回転軌跡の外側に退避する。前記ストッパ１４１は、図６に示すように、ソレノイド１４４が下方に移動すると、後方側に回転し、前記ストッパ１４１を前記表示板１３２ａ、１３２ｂ、１３２ｃ・・・１３２ｔの係止位置に移動する。
【００８９】
次に、回転位置検出センサ１０３について詳細に説明する。
【００９０】
図３において、スパーギア１２３の左側の面には、回転位置検出センサ１０３により回転位置を検出するための回転位置検出用インデックス２１０（図６参照）が設けられている。  回転位置検出センサ１０３は、例えば磁気センサを用い、回転位置検出用インデックス２１０には、永久磁石によるチップを用いている。回転位置検出センサ１０３は、Ｌ字状に形成され、検出部１８３がスパーギア１２３の左側に延び出している。回転位置検出センサ１０３は、回転位置検出用インデックス２１０を検出部１８３で検出することで、スパーギア１２３が特定の回転位置に来たことを検出している。
【００９１】
以下、表示板１３２ａの構造について図７乃至図９を用いて詳細に説明する。
【００９２】
図７において、表示板１３２ａは、両面反射板４０１と、一面側及び他面側のアクリル拡散板４０２、４０３と、絵柄層４０４、４０５とを備えている。
【００９３】
両面反射板４０１は、例えばクロム等の光の反射率が高い金属を長辺形の薄板状に形成したものであり、一面４１１及び他面４１２（図９参照）の両側で光を高い反射率で反射するようになっている。
【００９４】
アクリル拡散板４０２は、前記両面反射板４０１の一面４１１側に透明の接着剤により張り合わされ、前記発光ダイオード３３１、３３３（図５及び図９参照）から一方の長辺側の端面４２３に入射した光Ａ１を拡散して外側面４２１に透過させる。また、アクリル拡散板４０２に入射した光Ａ１の一部は、両面反射板４０１に照射し反射して光Ａ２となる。アクリル拡散板４０２は、両面反射板４０１から反射した光Ａ２を拡散して外側面４２１に透過させる。
【００９５】
アクリル拡散板４０２の一方及び他方の短辺側の端面４２５、４２７には、光を拡散させる拡散加工（例えばマイクロレンズを形成する等）が行われている。アクリル拡散板４０２の他方の長辺側(表示板１３２ａの一側)には、半円柱形状の軸半体４２９が形成されている。
【００９６】
アクリル拡散板４０３は、前記両面反射板４０１の他面４１２側に透明の接着剤により張り合わされ、前記発光ダイオード３３１、３３３（図５及び図９参照）から一方の長辺側の端面４２４に入射した光Ａ１を拡散して外側面４２２（図９参照）に透過させるとともに、両面反射板４０１から反射した光Ａ２を拡散して外側面４２２（図９参照）に透過させる。アクリル拡散板４０３の一方及び他方の短辺側の端面４２６、４２８には、光を拡散させる拡散加工が行われている。アクリル拡散板４０３の他方の長辺側(表示板１３２ａの一側)には、半円柱形状の軸半体４３０が形成されている。
【００９７】
前記一面側及び他面側のアクリル拡散板４０２、４０３の外側面４２１、４２２には、それぞれ透光性を有する材質による絵柄層４０４、４０５が例えばシルクスクリーン印刷で前記絵柄の形状に形成されている。
【００９８】
図８に示すように、両面反射板４０１と、アクリル拡散板４０２、４０３とを張り合わされた状態では、アクリル拡散板４０２、４０３に形成された軸半体４２９、４３０の左側及び右側は、それぞれ左側及び右側の軸片部１９５を構成している。
【００９９】
図９に示すように、一面側及び他面側のアクリル拡散板４０２、４０３は、アクリル樹脂４３１中に光を拡散させる光拡散剤材として微粒子ポリマー４３２を添加したものである。微粒子ポリマー４３２は、例えばスチレン、メタクリル酸メチル、各種疎水性ビニルモノマーをベースにして形成されている。
【０１００】
尚、前記表示板１３２ｂ、１３２ｃ・・・１３２ｔについては、絵柄層４０４、４０５の形状や各色の透過率が表示板１３２ａと異なるだけで、表示板１３２ａと同様の構造になっている。
【０１０１】
図１１において、リーフ式表示機１００ａは、電気回路系統として、ステッピングモータ１２１と、ソレノイド１４４と、回転位置検出センサ１０３と、複数の発光ダイオード３３１、３３３を備えている。
【０１０２】
図１０に示すように、表示制御基板９６は、リーフ式表示機１００ａの全体動作を集中制御するＣＰＵ（マイコン）５０１と、記憶部としてのＲＯＭ５０２及びＲＡＭ５０３と、モータ駆動回路５０４と、ソレノイド駆動回路５０５と、発光ダイオード駆動回路５０６を備えている。
【０１０３】
表示制御基板９６のＣＰＵ５０１は、回転位置検出センサ１０３と、パチンコ機１（図２参照）の主制御基板９１と、ＲＯＭ５０２と、ＲＡＭ５０３と、モータ駆動回路５０４と、ソレノイド駆動回路５０５、発光ダイオード駆動回路５０６が接続されている。
【０１０４】
ＣＰＵ５０１は、ＲＯＭ５０２に格納された制御プログラム、パチンコ機１の主制御基板９１からのコマンドデータ、回転位置検出センサ１０３の検出結果に基づいて必要なデータをＲＡＭ５０３に記憶し、モータ駆動回路５０４と、ソレノイド駆動回路５０５と、発光ダイオード駆動回路５０６の制御を行う。
【０１０５】
モータ駆動回路５０４は、ＣＰＵ５０１からの制御に基づいてステッピングモータ１２１にパルス信号を供給し、ステッピングモータ１２１の回転軸を決められた角度だけ回転させる。
【０１０６】
ソレノイド駆動回路５０５は、ＣＰＵ５０１からの制御に基づいてソレノイド１４４のコイルに駆動電流を流し、ソレノイド１４４のプランジャ２０３（図８参照）を上方に移動させる。また、ソレノイド１４４は、ソレノイド駆動回路５０５から駆動電流が供給させない状態では、内蔵したばねの反発力により、プランジャ２０３が下方に移動する。
【０１０７】
ＣＰＵ５０１は、ステッピングモータ１２１の回転開始から回転停止の所定期間前までの期間に、ソレノイド１４４のプランジャ２０３を上方に移動させ、前記ストッパ１４１（図８参照）を前記表示板１３２ａ、１３２ｂ、１３２ｃ・・・１３２ｔ（図８参照）の回転軌跡の外側に退避させる。
【０１０８】
発光ダイオード駆動回路５０６は、ＣＰＵ５０１からの制御に基づいて投光ユニット３０１、３０２、３０３、３０４に設けられた複数の発光ダイオード３３１、３３３に電力を供給して点灯させる。
【０１０９】
尚、表示制御基板９６は、リーフ式表示機１００ｂ、１００ｃに対してもリーフ式表示機１００ａと同様の制御を行っている。
【０１１０】
このような構成により、リーフ式表示機１００ａは、回転駆動手段で回転される円筒状の回転ドラム１３１の外周に複数の表示板１３２ａ、１３２ｂ、１３２ｃ・・・１３２ｔを回転自在に支持し、表示面を構成する上下一対の前記表示板１３２ａ、１３２ｂ、１３２ｃ・・・１３２ｔのうち上側の表示板を表示位置にストッパ１４１で係止した状態で、前記回転ドラム１３１を任意の位置で停止させることにより前記表示位置に位置する上下一対の表示板で絵柄を表示する。
【０１１１】
以下のリーフ式表示機リーフ式表示機１００ａ、１００ｂ、１００ｃの動作について説明する。
【０１１２】
まず、機械セット時や電源投入時に、表示制御基板９６は、ソレノイド１４４を制御し、図１１に示すように、ストッパ１４１を表示板１３２ａ、１３２ｂ、１３２ｃ・・・１３２ｔの回転軌跡の外側に退避させる。次に、表示制御基板９６は、ステッピングモータ１２１をテスト回転させ、スパーギア１２３及び回転ドラム１３１を回転させることで、回転位置検出センサ１０３にスパーギア１２３の回転位置検出用インデックス２１０を検出させ、回転ドラム１３１の回転基準位置を検知する。この後、表示制御基板９６は、前記回転基準位置を基準とし、この位置からステッピングモータ１２１に何個のパルスを供給したかで回転ドラム１３１の回転位置を把握し、ステッピングモータ１２１の回転制御を行う。
【０１１３】
この後、表示制御基板９６は、前記ストッパ１４１を前記表示板１３２ａ、１３２ｂ、１３２ｃ・・・１３２ｔの係止位置に移動させる。次に、ＣＰＵ５０１は、回転ドラム１３１の停止位置が隣接する支持孔１９４の中間部が表示窓１１３ の上下方向中心に対応して位置するように、すなわち表示板１３２ａ、１３２ｂ、１３２ｃ・・・１３２ｔの内、表示位置の上下一対の表示板（図５の場合、表示板１３２ｂ、１３２ａ）が表示窓１１３ に臨むように、ステッピングモータ１２１の駆動停止制御を行う。これと同時に、表示制御基板９６は、投光ユニット３０１、３０２、３０３、３０４に設けられた複数の発光ダイオード３３３に電力を供給して点灯させる。
【０１１４】
この回転ドラム１３１が停止している状態においては、上側の表示板（図５の場合、表示板１３２ｂ）がストッパ１４１で係止され、表示位置に位置する上下一対の表示板（図５の場合、表示板１３２ｂ、１３２ａ）が垂直で平面的に配置され、前方から表示窓１１３ を通じて上下一対の表示板（図５の場合、表示板１３２ｂ、１３２ａ）を１組として１つの絵柄２１１（図４及び図５参照）が表示される。さらにこの状態で、下側の表示板（図５の場合、表示板１３２ａ）の端面４２３、４２４（図７及び図９参照）には、投光ユニット３０３、３０４に設けられた複数の発光ダイオード３３３からの光Ａ１が入射する。上側の表示板（図５の場合、表示板１３２ｂ）の端面４２３、４２４（図７及び図９参照）には、投光ユニット３０１、３０２に設けられた複数の発光ダイオード３３１からの光Ａ１が入射する。表示板１３２ａの端面４２３に入射した光Ａ１は、拡散して外側面４２１に透過するとともに前記両面反射板４０１から光Ａ２として反射して拡散し、外側面４２１に透過する。表示板１３２ｂの端面４２４に入射した光Ａ１は、拡散して外側面４２２に透過するとともに前記両面反射板４０１から光Ａ２として反射して拡散し、外側面４２２に透過する。
【０１１５】
ここで、外表面４２１、４２２の絵柄層４０４、４０５が設けられた位置を通過する光は、色変換及び減光が行われ、他の部分に比べて異なる色及び明るさで発光することになる。
【０１１６】
そして、パチンコ機１の利用時、遊技盤１１の遊技領域１２上に打ち出された遊技球が各入賞具１７，１８，１９に入賞すると、主制御基板９１からの動作スタートのコマンドデータが表示制御基板９６に入力されて、リーフ式表示機１００ａ、１００ｂ、１００ｃが動作を開始する。
【０１１７】
そして、全てのリーフ式表示機１００ａ、１００ｂ、１００ｃにおいて、表示制御基板９６は、前記ストッパ１４１を前記表示板１３２ａ、１３２ｂ、１３２ｃ・・・１３２ｔの回転軌跡の外側に退避させ、ステッピングモータ１２１を駆動し、スパーギア１２３及び回転ドラム１３１が回転させる。この回転ドラム１３１の回転により、表示位置の上側に位置する表示板（図８の場合、表示板１３２ｂ）が前回りで下方に回動落下する。回転ドラム１３１が所定角度回転する間は、図８に示すように前記ストッパ１４１が前記表示板１３２ａ、１３２ｂ、１３２ｃ・・・１３２ｔの回転軌跡の外側に退避しているので、同様にして後続の表示板が前回りで下方に回動落下する。このような、各表示板１３２ａ、１３２ｂ、１３２ｃ・・・１３２ｔの動作が回転ドラム１３１の回転中に連続して行なわれる。
【０１１８】
この後、表示制御基板９６は、回転ドラム１３１の回転を停止する所定期間前に、前記ストッパ１４１を前記表示板１３２ａ、１３２ｂ、１３２ｃ・・・１３２ｔの係止位置（図６参照）に移動させる。次に、ＣＰＵ５０１は、表示を意図する後続の上下一対の表示板が表示窓１１３ に臨むように、ステッピングモータ１２１の駆動停止制御を行う。この状態で上側の表示板は、ストッパ１４１に係止し、表示窓１１３ に後続の上下一対の表示板が表示される。
【０１１９】
かかる構成のリーフ式表示機１００ａ、１００ｂ、１００ｃによれば、発光ダイオード３３１、３３３から表示位置にある表示板１３２ａ、１３２ｂ、１３２ｃ・・・１３２ｔの内表示位置にある表示板の外周の端面に入射した光は、一面側及び他面側のアクリル拡散板４０２、４０３の内部で拡散し、直接または前記両面反射板４０１に反射しアクリル拡散板４０２、４０３板の内部を透過して前記絵柄の形状で形成された透光性を有する絵柄層４０４、４０５に入射し、透光性を有する絵柄層４０４、４０５により減光や色補正が行われて出射するので、光を表示板の透光性を有する絵柄に透過させて絵柄を光らせることができる。
【０１２０】
尚、図１乃至図１１に示した実施形態では、機械セットや電源投入から初めて表示板が表示位置に停止してから発光ダイオード３３１、３３３を点灯し絵柄層４０４、４０５を光らせ、以後発光ダイオード３３１、３３３を点灯したままの状態を維持するように構成したが、発光ダイオード３３１、３３３を点灯させるタイミングを別のタイミング、例えば、表示板が表示位置にある場合にのみ発光ダイオード３３１、３３３を点灯し、表示板が回転している状態では発光ダイオード３３１、３３３を消灯する構成にしてもよい。また、アクリル拡散板４０２、４０３に形成する絵柄層４０４、４０５の形状及び各色の透過率も各種適用可能である。さらに、絵柄層４０４、４０５は、絵柄に対応して複数のエリアを設定しエリア毎の各色の透過率を変更することで、アクリル拡散板４０２、４０３の全面に形成することも可能である。
【０１２１】
また、図１乃至図１１に示した実施形態では、光を拡散して外側面に透過させる一面側及び他面側の拡散板としてアクリル拡散板４０２、４０３を用いたが、拡散板としては塩化ビニール拡散板等、他の材質の拡散板を用いることも可能である。
【産業上の利用可能性】
【０１２２】
本発明は、パチンコ機用のリーフ式表示機に限らず、スロットマシン用等その他の遊技機に用いられるリーフ式表示機にも応用することができる。
【図面の簡単な説明】
【０１２３】
【図１】図１は、本発明の一実施形態によるパチンコ機の表側側の外観構造を表した正面図である。
【図２】図２は、本発明の一実施形態によるパチンコ機の裏面側の構造を表した図である。
【図３】図３は、本発明の一実施形態によるリーフ式表示機の分解斜視図である。
【図４】図４は、本発明の一実施形態によるリーフ式表示機の斜視図である。
【図５】図５は、本発明の一実施形態によるリーフ式表示機の正面図である。
【図６】図６は、本発明の一実施形態によるリーフ式表示機の側方から見た断面図である。
【図７】図７は、本発明の一実施形態による表示板の分解斜視図である。
【図８】図８は、本発明の一実施形態による表示板の斜視図である。
【図９】図９は、本発明の一実施形態による表示板の断面図である。
【図１０】図１０は、本発明の一実施形態によるリーフ式表示機を制御する回路系統を示すブロック図、
【図１１】図１１は、本発明の一実施形態によるリーフ式表示機の動作を説明する説明図である。
【符号の説明】
【０１２４】
１…パチンコ機、２…外枠、３…前枠、
４ａ，４ｂ…開閉連結支持機構、５…施錠装置、６…ガラス扉、
７…上球皿、７ａ…球皿部、７ｂ…レバー、７ｃ…放音部、
８…下球皿、８ａ…球皿部、８ｂ…球出口、９…打球発射装置、
９ａ…操作ハンドル、１０…収容枠、１１…遊技盤、
１２…遊技領域、１３…裏機構、１４…化粧板、１５…案内レール、
１６ａ…外レール、１６ｂ…内レール、１７…一般入賞具、
１８…始動入賞具、１９…アタッカー入賞具、
１８ａ、１８ｂ…チューリップ羽根、１９ａ…開閉扉、
２０…アウト口、２１ａ、２１ｂ、２１ｃ…係合レバー、
２２…遊技補助盤、３０…球貯留供給機構、４０…賞球払出機構、
５０…裏セット盤、５１ａ、５１ｂ…ヒンジ、
５２ａ、５２ｂ、５２ｃ…閉止レバー、３１…タンク部材、
３２…整列樋部材、３３…ターミナル制御部、
４１…開閉基枠体、４２…球切れ検出スイッチ、３４…変向出口、
４３…整列待機通路部材、４４…賞球カセット、
９１…主制御基板、９２…賞球制御基板、
９３…ランプ・音声制御基板、９４…電源基板、９５…中継基板、
９６…表示制御基板、１００…図柄表示装置、
１００ａ、１００ｂ、１００ｃ…リーフ式表示機、
１０１…ケース、１０２…回転駆動部、１０３…回転位置検出センサ、
１０４…リーフ式表示機構部、１０５…ストッパ機構部、
１１１…ケース本体、１１２…側面板、１１３…表示窓、
１２１…ステッピングモータ、１２２…ピニオンギア、
１２３…スパーギア、１２４…回転軸、１２５…ネジ止部、
１２６…配線、１３１…回転ドラム、
１３２ａ、１３２ｂ、１３２ｃ…１３２ｔ…複数の表示板、
１４１…ストッパ、１４２…回転軸、
１４３ａ、１４３ｂ…軸受け部材、１４４…ソレノイド、
１４５ａ、１４５ｂ…貫通孔、１５１…後壁、
１５２ａ、１５２ｂ、１５２ｃ…貫通孔、
１５３ａ、１５３ｂ…ネジ、１５４…側壁、
１５５ａ、１５６ａ…軸受け、１５５ｂ、１５６ｂ…軸受け、
１５７…貫通孔、１５８…ネジ、
１６０ａ、１６０ｂ、１６０ｃ、１６０…貫通孔、
１６１ａ、１６１ｂ、１６１ｃ、１６１ｄ…ネジ穴、
１６２ａ、１６２ｂ、１６２ｃ、１６２ｄ…ネジ、
１７１…上壁、１７２…切欠き、１７３ａ、１７３ｂ…ネジ穴、
１７４ａ、１７４ｂ…ネジ、１７５…ネジ止め部、
１７６ａ、１７６ｂ…貫通孔、１７７ａ、１７７ｂ…ネジ、
１７８…下壁、１７９、１８０…切欠き、１８１…配線、
１８２…ネジ穴、１８３…検出部、１９１…円筒部、
１９２…フランジ部、１９３…ファイナルギア、１９４…支持孔、
１９５…軸片部、１９６…係合片部、２０１…舌片、２０２…ピン、
２０３…プランジャ、２１０…回転位置検出用インデックス、
３２５、３２６…段部、３２７、３２８…貫通孔、
３０１、３０２、３０３、３０４…投光ユニット、
３１１、３１２、３１３、３１４…ネジ穴、３２１、３２２…ケース、
３２３、３２４…配線、３３１…発光ダイオード、３３２…筒状部、
３３３…発光ダイオー、３３４…筒状部、３４１、３４２…ネジ、
３４３、３４４…ネジ、３５１、３５２…ケース、
３５３、３５４…配線、５０１…ＣＰＵ、５０２…ＲＯＭ、
５０３…ＲＡＭ、５０４…モータ駆動回路、
５０５…ソレノイド駆動回路、５０６…発光ダイオード駆動回路
【図１】
0004845098.tif 000002
【図２】
0004845098.tif 000003
【図３】
0004845098.tif 000004
【図４】
0004845098.tif 000005
【図５】
0004845098.tif 000006
【図６】
0004845098.tif 000007
【図７】
0004845098.tif 000008
【図８】
0004845098.tif 000009
【図９】
0004845098.tif 000010
【図１０】
0004845098.tif 000011
【図１１】
0004845098.tif 000012